(57)【特許請求の範囲】
【請求項１】
布基礎用の溝を掘削した後、フーチングと基礎梁を形成するための捨て型枠を建込み、この捨て型枠の内側にコンクリートを打設して断面凸形の布基礎を構築する工法において、
前記捨て型枠のうちフーチング側面に係るものがその天端を埋戻しレベルとした土留め壁を兼ね、この土留め壁の天端をゲージとして、前記溝の脇に盛り上げた掘削土を埋戻しレベルにて平坦化するとともに、
フーチングのコンクリート打設後その硬化前に、埋め殺し可能なスペーサーであってその上面を埋戻しレベルとしたものを当該フーチング上に敷設し、このスペーサーの上面及び前記溝の脇の平坦化された地盤の上面にわたり土間コンクリートを打設することを特徴とする布基礎施工方法。
【請求項２】
前記スペーサーが廃材を再利用した複数の成形ブロックからなることを特徴とする請求項１記載の布基礎施工方法。
【発明の詳細な説明】
【０００１】
【発明の属する技術分野】
本発明は、建物の布基礎の施工方法に関し、特に掘削土の処理及び土間コンクリートの施工手順に改良を加えたものである。
【０００２】
【従来の技術】
従来より、建物の布基礎の施工方法として、次のようなものが公知である。
（１）ショベルカーや手掘りによってフーチング幅よりも幅広の溝１を掘削し、割栗２、捨てコンクリート３を施工する。このとき、後で埋戻しに使用するため、掘削土４の大部分は溝１の両脇に盛り上げておく（図４（ａ）参照）。
（２）鉄筋５を配するとともに、治具６（特開平８−１０５０６０号公報参照）を用いて捨て型枠７を建込む（同（ｂ）参照）。
（３）捨て型枠７の内側にコンクリートを打設し、フーチング８と基礎梁９を一体に形成する（同（ｃ）参照）。
（４）一定期間の養生後、フーチング８の上に掘削土４を埋戻し、その上面を平坦に均す（同（ｄ）参照）。
（５）土間コンクリート１０を施工する（同（ｅ）参照）。
【０００３】
【発明が解決しようとする課題】
しかしながら、かかる布基礎の施工方法には、次のような問題がある。
（１）掘削土４が盛り上げられた溝１の両脇は作業通路となるため、配筋や捨て型枠７の建込み、コンクリート打設等を行う作業者の足場が悪く、危険であるともに工事進行の妨げとなる。
（２）作業者が作業通路を歩行したり、捨て型枠７の建込みやコンクリート打設等の作業を行うことにより溝１の両脇に盛り上げられた掘削土４が崩れ、捨て型枠７の内側や養生中のコンクリート中に掘削土４が混入するため、これを排除するために工事の後戻りが必要となったり、フーチング８の断面欠損が生じて所定の品質を確保できなくなったりすることがある。
（３）フーチング８のコンクリート打設終了後は一定期間の養生を行わなければならないため、フーチング８の上にすぐに掘削土４を被せることはできず、その間は工事の手待ち状態となる。
【０００４】
そこで、本発明は、上記問題点に鑑み、掘削した溝の脇の足場がよくて崩れない、しかも布基礎のコンクリート打設終了後すぐの土間コンクリートの施工が可能な布基礎の施工方法を提供することにより、工期短縮及び品質確保を図ることを目的とする。
【０００５】
すなわち、請求項１記載の発明は、布基礎用の溝を掘削した後、フーチングと基礎梁を形成するための捨て型枠を建込み、この捨て型枠の内側にコンクリートを打設して断面凸形の布基礎を構築する工法において、前記捨て型枠のうちフーチング側面に係るものがその天端を埋戻しレベルとした土留め壁を兼ね、この土留め壁の天端をゲージとして、前記溝の脇に盛り上げた掘削土を埋戻しレベルにて平坦化するとともに、フーチングのコンクリート打設後その硬化前に、埋め殺し可能なスペーサーであってその上面を埋戻しレベルとしたものを当該フーチング上に敷設し、このスペーサーの上面及び前記溝の脇の平坦化された地盤の上面にわたり土間コンクリートを打設することを特徴とする布基礎施工方法である。
【０００６】
このようにフーチング側面に係る捨て型枠の天端が埋戻しレベルまで達して土留め壁の役割をも果たすことにより、溝の脇に盛り上げた掘削土が崩れることがなくなって安全性が向上するとともに、捨て型枠の内側に掘削土が混入することもなくなって工事の円滑化及び品質の確保を図ることができる。また、捨て型枠の天端をゲージとして利用して溝の脇に盛り上げた掘削土を埋戻しレベルにて平坦化することにより、作業者がその上を作業用通路として歩行しやすくなり安全性が向上するとともに、後で土間コンクリートを打設するための準備が整って省施工化を図ることができる。
また、このようにフーチングのコンクリートが硬化する前であっても、その上面にスペーサーを敷設してその上面を埋戻しレベルとすれば、前記溝の脇の平坦化された地盤の上面も既に埋戻しレベルとなっているから、手待ちとなることなく布基礎コンクリート打設後すぐに土間コンクリートを施工することができ、工期短縮を図ることができる。
【０００９】
さらに、請求項２記載の発明は、請求項１記載の発明において、前記スペーサーが廃材を再利用した複数の成形ブロックからなることを特徴とする。
【００１０】
このようにスペーサーを廃材再利用品とすることにより資源の有効利用を図ることができ、また、複数の成形ブロックでスペーサーを構成することにより運搬が容易となって施工性がよくなる。
【００１１】
【発明の実施の形態】
以下、添付図面に基づき、本発明の実施の形態を詳細に説明する。なお、説明において、同一要素には同一符号を用い、重複する説明は省略する。
【００１２】
図１は、本発明に係る布基礎施工方法の一実施形態を説明するための工程図であり、従来の布基礎施工方法を説明するための工程図である図４と比較しやすいように各工程を対応させて表したものである。以下、同図を参照しつつ工程順に説明を行う。
【００１３】
（１）まず、従来と同様にして、ショベルカーや手掘りによってフーチング幅よりも幅広の溝１を掘削し、割栗２、捨てコンクリート３を施工する。このとき、後で埋戻しに使用するため、掘削土４の大部分は溝１の脇に盛り上げておく（図１（ａ）参照）。
【００１４】
（２）次に、鉄筋５を配するとともに、治具６を用いて捨て型枠７を建込み、溝１の両脇の掘削土４を均して当該地盤上を平坦化する（同（ｂ）参照）。ここで捨て型枠７は、粉砕した発泡スチロール等の廃材をつなぎ材を挟んで再成形したものであって、充分な強度を維持しつつも安価なものであり、基礎梁９の両側面を挟持する捨て型枠７ａ，７ｂと、フーチング８の両側面を挟持する捨て型枠７ｃ，７ｄとから構成されている。そして、捨て型枠７ａ〜７ｃは従来と同様の寸法を有するものであるが、捨て型枠７ｄは従来のものと異なり、建込んだときにその天端が埋戻しレベルまで達するような高さを有している。このように捨て型枠７ｄの高さをフーチング８のコンクリート打設の際のせき板として要求される高さ以上に大きくしたのは、この捨て型枠７ｄが溝１の脇に盛り上げた掘削土４の土留め壁としての役割をも担っているからである。したがって、土留め壁としての役割を果たす限りにおいては、捨て型枠７ｄの天端は埋戻しレベルより高くなっていればよいのであるが、ここでは捨て型枠７ｄの天端を埋戻しレベルと等しい高さとしている。これは、捨て型枠７ｄの天端をゲージとして溝１の脇に盛り上げた掘削土４を埋戻しレベルにて平坦化し、後でその上に土間コンクリート１０を打設するためである。なお、ここでは捨て型枠７ｃについては従来同様のものを用いたが、これについても捨て型枠７ｄと同様のものにしてもよい。すなわち、捨て型枠７ｃ，７ｄはいずれも、フーチング８の側面高さ以上であり、かつ、各埋戻しレベルと等しい高さのものであればよい。
【００１５】
また、治具６は布基礎のフーチング８と基礎梁９とにコンクリートを一体に打設するためのものであり、従来より公知である（図２参照）。ただし、本発明においては必ずしもフーチング８と基礎梁９とにコンクリートを一体に打設するためのものでなくとも、捨て型枠７を所定位置に設置できるものであればよい。
【００１６】
（３）そして、捨て型枠７の内側にコンクリートを打設し、フーチング８と基礎梁９を一体に形成する（同（ｃ）参照）。この工程も従来と同様に行うものであるが、本発明においては必ずしもフーチング８と基礎梁９を一体に形成する必要はない。なお、コンクリートを打設する作業員は、溝１の両脇に盛り上げた掘削土４の上面を作業用通路として歩行することになるが、前工程においてこれが平坦化されているため、安全性が高く、作業性がよい。
【００１７】
（４）次に、フーチング８の打設コンクリートがまだ硬化しない状態で、フーチング８の上に廃材再成形ブロック１１を敷き並べる（同（ｄ）参照）。打設コンクリートがまだ硬化しない状態で行うのは、養生の期間を省いて工期短縮を図るためである。また、ここでは前工程においてフーチング８と基礎梁９に一体にコンクリートを打設した後、フーチング８の上に廃材再成形ブロック１１を敷き並べているが、フーチング８のみについてコンクリートを打設し、フーチング８の上に廃材再成形ブロック１１を敷き並べた後、基礎梁９にコンクリートを打設する手順をとってもよい。そして、この廃材再成形ブロック１１は、その上面が埋戻しレベルと同じ高さになっており、本工程完了後に埋戻しレベルで平坦な土間コンクリート１０を施工すべく地盤面を嵩上げする、いわゆるスペーサーの役割を果たす。したがって、ここでは埋戻しレベルの低い（フーチング８の天端と同レベル）紙面左側のフーチング８上には廃材再成形ブロック１１を敷き並べない。
【００１８】
また、廃材再成形ブロック１１は、粉砕した発泡スチロール等の廃材をつなぎ材を挟んで再成形したブロックであり、充分な強度を維持しつつも安価なものであり、省資源化の要請に沿うものである。また、廃材再成形ブロック１１は作業者が楽に持ち運びできる大きさと重さとしてあるため、作業性は良好である。ここで、廃材再成形ブロック１１をフーチング８の上に敷き並べる様子を図３（ａ）に表す。同図に表したように作業者は、一の廃材再成形ブロック１１をフーチング８上に載置すると、次はその上に乗って次の一の廃材再成形ブロック１１を載置する。このようにして埋戻しレベルで平坦な土間コンクリート１０を打設することができるようになるまで、複数個の廃材再成形ブロック１１，１１，…を次々にフーチング８上に敷き並べていく。この作業が完了した状態を表したものが図３（ｂ）である。同図に示したように、敷き並べられた複数個の廃材再成形ブロック１１，１１，…の間隙には、次工程で打設する土間コンクリート１０が入り込んで、フーチング８、廃材再成形ブロック１１、土間コンクリート１０が強固に一体化することになる。
【００１９】
なお本発明においては、廃材再成形ブロック１１を別のものに変更してもよく、例えばコンクリートブロック等で代替することも考えられる。しかし、あまり重量の大きなものであると布基礎の重量バランスが崩れ、構造上好ましくない。当該部分をコンクリートの増し打ちとした場合も同様である。また、本発明における廃材再成形ブロック１１は、上記要件の他に埋め殺し可能なものであることも必要である。埋め殺して腐敗するような材質のスペーサーでは、後で土間コンクリート１０が陥没してしまうからである。
【００２０】
（５）最後に、埋戻しレベルで土間コンクリート１０を施工する（同（ｅ）参照）。埋戻しレベルの平坦面は前記（２）及び（４）の工程で完成しているため、本工程は従来同様に行えばよい。
【００２１】
以上、本発明の一実施形態について説明を行ったが、本発明はこれに限られず、各工程においてその機能を損なうものでないことを条件として、各部について適宜変更可能である。例えば、布基礎の左右脇の埋戻しレベルの設定や配筋の態様、廃材再成形ブロックの材質、大きさ等については、本実施形態において説明したものに拘泥されず、適宜設計条件等に適合させて実施すればよい。
【００２２】
【発明の効果】
以上説明したように、請求項１記載の発明によれば、フーチング側面に係る捨て型枠の天端が埋戻しレベルまで達して土留め壁の役割をも果たすことにより、溝の脇に盛り上げた掘削土が崩れることがなくなって安全性が向上するとともに、捨て型枠の内側に掘削土が混入することもなくなって工事の円滑化及び品質の確保を図ることができる。また、捨て型枠の天端をゲージとして利用して溝の脇に盛り上げた掘削土を埋戻しレベルにて平坦化することにより、作業者がその上を作業用通路として歩行しやすくなり安全性が向上するとともに、後で土間コンクリートを打設するための準備が整って省施工化を図ることができる。
また、フーチングのコンクリートが硬化する前であっても、その上面にスペーサーを敷設してその上面を埋戻しレベルとすることによって、前記溝の脇の平坦化された地盤の上面も既に埋戻しレベルとなっているから、手待ちとなることなく布基礎コンクリート打設後すぐに土間コンクリートを施工することができ、工期短縮を図ることができる。
【００２４】
さらに、請求項２記載の発明によれば、スペーサーを廃材再利用品とするので資源の有効利用を図ることができ、また、複数の成形ブロックでスペーサーを構成するので運搬が容易となって施工性がよくなる。
【図面の簡単な説明】
【図１】本発明に係る布基礎施工方法の一実施形態を説明するための工程図である。
【図２】図１（ｂ）に示した治具の詳細を表した斜視図である。
【図３】図１（ｄ）の工程を説明するための図であって、（ａ）は廃材再成形ブロックを敷設する作業の様子を表す斜視図、（ｂ）はその作業が完了した状態を表す斜視図である。
【図４】従来の布基礎施工方法を説明するための工程図である。
【符号の説明】
１    …  溝
２    …  割栗
３    …  捨てコンクリート
４    …  掘削土
５    …  鉄筋
６    …  治具
７    …  捨て型枠
８    …  フーチング
９    …  基礎梁
１０    …  土間コンクリート
１１    …  廃材再成形ブロック
【図１】
0003752082.tif 000002
【図２】
0003752082.tif 000003
【図３】
0003752082.tif 000004
【図４】
0003752082.tif 000005